(57)【特許請求の範囲】
【請求項１】
絶縁ハウジングに複数段にわたって設けられた媒体挿入口の各々を通して複数の信号伝送媒体が重なり合うように挿入される構成になされた複数段挿入型電気コネクタにおいて、
前記複数段の媒体挿入口に挿入される各信号伝送媒体には、当該信号伝送媒体の挿入位置を示す位置表示片がそれぞれ設けられ、
それらの位置表示片は、前記各信号伝送媒体の挿入が完了した状態において互いに重なり合わない位置にずらして配置されていることを特徴とする複数段挿入型電気コネクタ。
【請求項２】
前記位置表示片は、前記信号伝送媒体の幅方向において当該信号伝送媒体のそれぞれ異なる側の端縁部から外方に突出するように設けられていることを特徴とする請求項１記載の複数段挿入型電気コネクタ。
【請求項３】
前記位置表示片は、前記信号伝送媒体の挿入方向において当該信号伝送媒体ごとに位置ズレするように設けられていることを特徴とする請求項１記載の複数段挿入型電気コネクタ。
【請求項４】
前記位置表示片は、前記絶縁ハウジングへの前記各信号伝送媒体の挿入が完了した状態において、当該信号伝送媒体の挿入方向に略同一の位置に並列されるように設けられていることを特徴とする請求項２記載の複数段挿入型電気コネクタ。
【請求項５】
前記各媒体挿入口に、当該媒体挿入口から前記信号伝送媒体の挿入方向に延出する媒体挿入通路がそれぞれ設けられているとともに、
それらの各媒体挿入通路であって前記信号伝送媒体の挿入方向の奥側端部には、前記信号伝送媒体の挿入側の端部が当接する媒体当接面が形成され、
前記媒体挿入口から前記媒体当接面までの距離が、前記各媒体挿入通路ごとに異ならされていることを特徴とする請求項１記載の複数段挿入型電気コネクタ。
【請求項６】
前記媒体挿入口の幅方向の両端縁から前記絶縁ハウジングの両端面に至るまでの外方側距離が、前記各媒体挿入口ごとに異ならされ、
前記媒体挿入口に前記信号伝送媒体の挿入が完了された状態において前記信号伝送媒体の位置表示片における突出側の端面が、前記絶縁ハウジングの両端面の位置と略一致するように構成されていることを特徴とする請求項１記載の複数段挿入型電気コネクタ。
【請求項７】
前記各媒体挿入口が形成されている前記絶縁ハウジングの壁面には、前記信号伝送媒体が挿入を完了した際に前記位置表示片が接触する接触面が設けられ、
それらの接触面が、各媒体挿入口同士の間で段差をなすように形成されていることを特徴とする請求項１記載の複数段挿入型電気コネクタ。
【請求項８】
前記媒体挿入口の幅方向の端縁から前記絶縁ハウジングの端面に至るまでの外方側端面、及び前記信号伝送媒体の位置表示片には、一定の切欠き形状からなる挿入判定部がそれぞれ凹設され、
前記媒体挿入口に対する前記信号伝送媒体の挿入が完了されて前記信号伝送媒体の位置表示片が前記絶縁ハウジングの外方側端面に接触した状態において、前記両挿入判定部同士が合体して特定の形状をなすように構成されていることを特徴とする請求項１記載の複数段挿入型電気コネクタ。
【発明の詳細な説明】
【技術分野】
【０００１】
本発明は、絶縁ハウジングに設けられた複数の媒体挿入口を通して複数の信号伝送媒体が、絶縁ハウジングの内部に複数段にわたって挿入されるように構成された複数段挿入型電気コネクタに関する。
【背景技術】
【０００２】
一般に、種々の電気機器等において、フレキシブル・プリンテッド・サーキット（ＦＰＣ）や、フレキシブル・フラット・ケーブル（ＦＦＣ）等の各種信号伝送媒体を電気的に接続するための手段として種々の電気コネクタが広く用いられている。例えば、下記の特許文献１、あるいは特許文献２のように印刷配線基板上に実装されて使用される電気コネクタにおいては、絶縁ハウジング（インシュレータ）に設けられた複数の媒体挿入口を通して、ＦＰＣやＦＦＣ等からなる複数の信号伝送媒体が、絶縁ハウジングの内部に複数段にわたって重なり合うように挿入される構成になされたものがある。
【０００３】
しかしながら、このような複数段挿入構造を有する従来の電気コネクタにおいては、複数の信号伝送媒体が重なり合うように挿入されるため、信号伝送媒体の挿入量や、表裏の向きが適正になっているか否かの判別が難しいという問題がある。特に、下段側に信号伝送媒体を挿入するにあたっては、一旦、上段側に挿入された信号伝送媒体を抜去して確認を行ったり修正することが行われており、作業性が低下する原因になることがある。
【先行技術文献】
【特許文献】
【０００４】
【特許文献１】実用新案登録２６０３１６０号公報
【特許文献２】特開２０００−１１３９３３号公報
【発明の開示】
【発明が解決しようとする課題】
【０００５】
そこで本発明は、簡易な構成で、重なり合って挿入される複数の信号伝送媒体の挿入状態を容易に判別可能として良好な作業性を得ることができるようにした複数段挿入型電気コネクタを提供することを目的とする。
【課題を解決するための手段】
【０００６】
上記目的を達成するため本発明では、絶縁ハウジングに複数段にわたって設けられた媒体挿入口の各々を通して複数の信号伝送媒体が重なり合うように挿入される構成になされた複数段挿入型電気コネクタにおいて、前記複数段の媒体挿入口に挿入される各信号伝送媒体には、当該信号伝送媒体の挿入位置を示す位置表示片がそれぞれ設けられ、それらの位置表示片は、前記各信号伝送媒体の挿入が完了した状態において互いに重なり合わない位置にずらして配置された構成が採用されている。
【０００７】
このときの位置表示片は、前記信号伝送媒体の幅方向において当該信号伝送媒体のそれぞれ異なる側の端縁部から外方に突出するように設けられたり、前記信号伝送媒体の挿入方向において当該信号伝送媒体ごとに位置ズレするように設けられることが可能である。
【０００８】
このような構成を有する本発明によれば、各信号伝送媒体ごとに設けられた位置表示片の位置を目視するだけで、複数段の各媒体挿入口に対して信号伝送媒体が最終位置まで挿入されているか、各媒体挿入口に対応する信号伝送媒体が入れ替わることなく適正に挿入されているか、又は挿入された信号伝送媒体の表裏の向きが適正になっているか否か等の判別が直ちに行われる。
【０００９】
また、本発明における前記位置表示片は、前記信号伝送媒体の幅方向において当該信号伝送媒体の反対側の縁部に設けられる場合には、前記絶縁ハウジングへの前記各信号伝送媒体の挿入が完了した状態において当該信号伝送媒体の挿入方向に略同一の位置に並列されるように設けられていることが望ましい。
【００１０】
このような構成を有する本発明によれば、信号伝送媒体の挿入が完了した状態において位置表示片が一直線上に並列されるため、信号伝送媒体の適正な挿入状態が直感的に把握される。
【００１１】
また、本発明においては、前記各媒体挿入口に、当該媒体挿入口から前記信号伝送媒体の挿入方向に延出する媒体挿入通路がそれぞれ設けられているとともに、それらの各媒体挿入通路であって前記信号伝送媒体の挿入方向の奥側端部には、前記信号伝送媒体の挿入側の端部が当接する媒体当接面が形成され、前記媒体挿入口から前記媒体当接面までの距離が、前記各媒体挿入通路ごとに異ならされていることが望ましい。
【００１２】
このような構成を有する本発明によれば、複数段にわたって挿入された信号伝送媒体の挿入状態が、媒体挿入口と位置表示片との位置関係を目視することによって容易に判断される。
【００１３】
また、本発明においては、前記媒体挿入口の幅方向の両端縁から前記絶縁ハウジングの両端面に至るまでの外方側距離が、前記各媒体挿入口ごとに異ならされ、前記媒体挿入口に前記信号伝送媒体の挿入が完了された状態において前記信号伝送媒体の位置表示片における突出側の端面が、前記絶縁ハウジングの両端面の位置と略一致するように構成されていることが望ましい。
【００１４】
このような構成を有する本発明によれば、複数段にわたって挿入された信号伝送媒体の挿入状態が、絶縁ハウジングの壁面と位置表示片との位置関係を目視することによって容易に判断される。
【００１５】
また、本発明においては、前記各媒体挿入口が形成されている前記絶縁ハウジングの壁面に、前記信号伝送媒体が挿入を完了した際に前記位置表示片を載置する表示部支持面が段差状をなすように設けられていることが望ましい。
【００１６】
このような構成を有する本発明によれば、信号伝送媒体の位置表示片が表示部支持面上に載置されるために、信号伝送媒体が安定的に保持される。
【００１７】
また、本発明においては、前記媒体挿入口の幅方向の端縁から前記絶縁ハウジングの端面に至るまでの外方側端面、及び前記信号伝送媒体の位置表示片には、一定の切欠き形状からなる挿入判定部がそれぞれ凹設され、前記媒体挿入口に対する前記信号伝送媒体の挿入が完了されて前記信号伝送媒体の位置表示片が前記絶縁ハウジングの外方側端面に接触した状態において、前記両挿入判定部同士が合体して特定の形状をなすように構成されていることが望ましい。
【００１８】
このような構成を有する本発明によれば、複数段にわたって挿入された信号伝送媒体の挿入状態が、両挿入判定部により特定の形状が形成されているか否かを外観で判断することによって目視で容易に判別される。
【発明の効果】
【００１９】
以上述べたように本発明にかかる複数段挿入型電気コネクタは、複数の媒体挿入口に挿入される信号伝送媒体に、位置表示片を位置ズレさせて設けることにより、各信号伝送媒体ごとに設けられた位置表示片の位置を目視するだけで、複数段の各媒体挿入口に対して信号伝送媒体が最終位置まで挿入されているか、各媒体挿入口に対応する信号伝送媒体が入れ替わることなく適正に挿入されているか、又は挿入された信号伝送媒体の表裏の向きが適正になっているか否か等の判別が直ちに行われるように構成したものであるから、簡易な構成で、重なり合って挿入される複数の信号伝送媒体の挿入状態が容易に判別可能となって良好な作業性を得ることができ、複数段挿入型電気コネクタの信頼性を低廉かつ大幅に向上させることができる。
【図面の簡単な説明】
【００２０】
【図１】本願発明の一実施形態にかかる複数段挿入型電気コネクタを正面側（前方側）から表した外観斜視説明図である。
【図２】図１に表された複数段挿入型電気コネクタの平面説明図である。
【図３】図１に表された複数段挿入型電気コネクタの正面説明図である。
【図４】図３中のＸ−Ｘ線に沿った横断面説明図である。
【図５】図３中のＹ−Ｙ線に沿った横断面説明図である。
【図６】図１〜図５に示された複数段挿入型電気コネクタにおける上下各段の媒体挿入通路に挿入される２体の信号伝送媒体（ＦＰＣ又はＦＦＣ等）の構造を表した外観斜視説明図である。
【図７】図１〜図５に示された複数段挿入型電気コネクタにおける下段側の媒体挿入通路に信号伝送媒体（ＦＰＣ又はＦＦＣ等）を挿入した状態を表した外観斜視説明図である。
【図８】図１〜図５に示された複数段挿入型電気コネクタにおける上下各段の媒体挿入通路に２体の信号伝送媒体（ＦＰＣ又はＦＦＣ等）を挿入した状態を表した外観斜視説明図である。
【図９】図８に表された、信号伝送媒体（ＦＰＣ又はＦＦＣ等）の２段挿入状態にある複数段挿入型電気コネクタの正面説明図である。
【図１０】図９中のＸ−Ｘ線に沿った横断面説明図である。
【図１１】図９中のＹ−Ｙ線に沿った横断面説明図である。
【図１２】図８に表された、信号伝送媒体（ＦＰＣ又はＦＦＣ等）の２段挿入状態にある複数段挿入型電気コネクタの平面説明図である。
【図１３】図１〜図５に示された複数段挿入型電気コネクタにおける上下各段の媒体挿入通路に対して信号伝送媒体（ＦＰＣ又はＦＦＣ等）が挿入不足状態にある複数段挿入型電気コネクタの平面説明図である。
【図１４】図１〜図５に示された複数段挿入型電気コネクタにおける上段側の媒体挿入通路に対して、下段側に挿入されるべき信号伝送媒体（ＦＰＣ又はＦＦＣ等）を誤挿入した状態を表した平面説明図である。
【図１５】図１〜図５に示された複数段挿入型電気コネクタにおける下段側の媒体挿入通路に対して、上段側に挿入されるべき信号伝送媒体（ＦＰＣ又はＦＦＣ等）を誤挿入した状態を表した平面説明図である。
【図１６】本願発明の第２の実施形態にかかる複数段挿入型電気コネクタにおける上下各段の媒体挿入通路に２体の信号伝送媒体（ＦＰＣ又はＦＦＣ等）を挿入した状態を表した外観斜視説明図である。
【発明を実施するための形態】
【００２１】
以下において、フレキシブル・プリンテッド・サーキット（ＦＰＣ）やフレキシブル・フラット・ケーブル（ＦＦＣ）等からなる信号伝送媒体の接続を行うために配線基板上に実装して使用される複数段挿入型電気コネクタに本発明を適用した実施の形態を図面に基づいて詳細に説明する。
【００２２】
［電気コネクタの全体構成について］
まず、図１〜図１７に示されている本発明の一実施形態にかかる電気コネクタ１０は、いわゆるノン・ジフ（NON-ZIF）タイプのワンアクションオートロック機構を備えた複数段挿入型の電気コネクタからなるものであって、絶縁ハウジング１１の前端側（図４及び図５の左端側）に複数段（上下２段）にわたって設けられた媒体挿入口１１ａ，１１ｂを通して、複数枚（２体）の信号伝送媒体（ＦＰＣ又はＦＦＣ等）Ｆ１，Ｆ２の端末部分が絶縁ハウジング１１の内部の所定位置まで挿入され、信号伝送媒体Ｆ１，Ｆ２の表面に設けられた導電路Ｆ１ｂ，Ｆ２ｂが、導電コンタクト１２，１３を介して図示を省略した主印刷配線基板（図示省略）上に形成された導電路に電気的に接続される。
【００２３】
［絶縁ハウジングについて］
このとき、前記絶縁ハウジング１１は、横長状に延在する中空枠体状の絶縁部材から形成されているが、その絶縁ハウジング１１における長手の横幅方向を、以下において、単に「横幅方向」又は「コネクタ長手方向」と呼び、信号伝送媒体（ＦＰＣ又はＦＦＣ等）Ｆ１，Ｆ２の端末部分を挿入及び抜去する方向を「コネクタ後方」及び「コネクタ前方」と呼ぶこととする。また、「コネクタ長手方向」及び「コネクタ前後方向」の双方に直交する方向を「コネクタ上下方向」と呼び、さらに上述した「コネクタ長手方向」において、コネクタの中心側から外方側へ向かう方向を「コネクタ外方」、その反対方向を「コネクタ内方」と呼ぶこととする。
【００２４】
その絶縁ハウジング１１のコネクタ前端側（図４左端側）の壁面には、上述したようにフレキシブル・プリンテッド・サーキット（ＦＰＣ）やフレキシブル・フラット・ケーブル（ＦＦＣ）等からなる信号伝送媒体Ｆ１，Ｆ２の端末部分が挿入される上媒体挿入口１１ａ及び下媒体挿入口１１ｂが、上下方向に２段にわたって略平行に重なり合うように設けられている。これら上下の媒体挿入口１１ａ，１１ｂは、コネクタ長手方向に沿って細長状をなすように設けられているが、これらの両媒体挿入口１１ａ，１１ｂは、後述する導電コンタクト１２，１３の配置ピッチの半ピッチ分だけコネクタ長手方向に位置ズレした配置関係になされている。
【００２５】
また、それら上下の媒体挿入口１１ａ，１１ｂの各々からは、信号伝送媒体（ＦＰＣ又はＦＦＣ等）Ｆ１，Ｆ２の媒体挿入通路１１ｃ，１１ｄが、コネクタ後方側に向かってそれぞれ延出している。それらの各媒体挿入通路１１ｃ，１１ｄのコネクタ後端部、すなわち信号伝送媒体Ｆ１，Ｆ２の挿入方向における奥側の端部には、信号伝送媒体Ｆ１，Ｆ２の挿入側の端部が当接する媒体当接面１１ｅ，１１ｆが形成されている。それらの媒体当接面１１ｅ，１１ｆは、各媒体挿入通路１１ｃ，１１ｄのコネクタ後端部を閉塞する絶縁ハウジング１１の立壁面から形成されており、当該媒体当接面１１ｅ，１１ｆに、各媒体挿入通路１１ｃ，１１ｄ内に挿入された信号伝送媒体Ｆ１，Ｆ２の先端部が当接し、それらの媒体当接面１１ｅ，１１ｆにより規定される最終的な挿入位置で信号伝送媒体Ｆ１，Ｆ２が停止されるようになっている。
【００２６】
上述したように上下の両媒体挿入口１１ａ，１１ｂは、絶縁ハウジング１１の前端側壁面に形成されているが、その絶縁ハウジング１１の前端側壁面には、挿入位置基準面１１ｇ，１１ｈが形成されている。これらの挿入位置基準面１１ｇ，１１ｈは、上下の両媒体挿入口１１ａ，１１ｂの横幅方向において外方側に相当する部位に形成されており、それらの挿入位置基準面１１ｇ，１１ｈに対して、後述するように各信号伝送媒体（ＦＰＣ又はＦＦＣ等）Ｆ１，Ｆ２の端縁部から突出する位置表示片Ｆ１ｃ，Ｆ２ｃが接触される関係になされている。これらの部材同士の接触関係ついては後段において詳細に説明することとするが、本実施形態では、上述した上下の媒体挿入通路１１ｃ，１１ｄの奥行き長さが互いに異ならされている。
【００２７】
すなわち、上述した上下の両媒体挿入口１１ａ，１１ｂの横幅方向両側に配置された挿入位置基準面１１ｇ，１１ｈは、信号伝送媒体Ｆ１，Ｆ２の挿入方向においてほぼ同位置となるように配置されているが、それらの挿入位置基準面１１ｇ，１１ｈから媒体当接面１１ｅ，１１ｆまでの距離Ｌ１，Ｌ２（図４，図５参照）は、各媒体挿入通路１１ｃ，１１ｄごとに異ならされている。より具体的には、上媒体挿入口１１ａから延びる上媒体挿入通路１１ｃの奥行き長さ、すなわち挿入位置基準面１１ｇ，１１ｈから媒体当接面１１ｅまでの距離Ｌ１が、下媒体挿入口１１ｂから延びる下媒体挿入通路１１ｄの奥行き長さ、すなわち挿入位置基準面１１ｇ，１１ｈから媒体当接面１１ｆまでの距離Ｌ２よりも大きくなるように設定されている（Ｌ１＞Ｌ２）。従って、特に図１１に示されているように、上段側の媒体挿入通路１１ｃ内に挿入された信号伝送媒体Ｆ１は、下段側の媒体挿入通路１１ｄ内に挿入された信号伝送媒体Ｆ２よりもコネクタ後方側まで挿入される構成になされている。
【００２８】
さらにまた、上述した上下の媒体挿入口１１ａ，１１ｂから延出する信号伝送媒体Ｆ１，Ｆ２の媒体挿入通路１１ｃ，１１ｄの内部には、適宜の形状をなす薄板状金属製部材により形成された導電コンタクト１２，１３が複数体にわたって装着されている。それらの導電コンタクト１２，１３は、絶縁ハウジング１１の内部に向かってコネクタ後端側及びコネクタ前端側からそれぞれ挿入されており、コネクタ長手方向に沿って適宜の間隔をなして多極状に配置されている。これらの導電コンタクト１２，１３の各々は、信号伝送用又はグランド接続用のいずれかとして、主印刷配線基板（図示省略）上に形成された導電路（図示省略）に対して半田接合により実装された状態で使用されるようになっている。
【００２９】
［導電コンタクトについて］
上述したように導電コンタクト１２，１３は、絶縁ハウジング１１のコネクタ後端側及び前端側からコネクタ前方（図４及び図５の左方側）及びコネクタ後方（図４及び図５の右方側）に向かって挿入されて装着されているが、そのようにして絶縁ハウジング１１の内部に装着された各導電コンタクト１２，１３は、上下の媒体挿入口１１ａ，１１ｂを通して絶縁ハウジング１１の内部に挿入された各信号伝送媒体（ＦＰＣ又はＦＦＣ等）Ｆ１，Ｆ２の配線パターンに対応した位置に配置されている。それらの信号伝送媒体Ｆ１，Ｆ２に形成された配線パターンは、信号伝送用導電路（信号線パッド）又はシールド用導電路（シールド線パッド）を適宜のピッチ間隔で配置したものである。
【００３０】
すなわち、各導電コンタクト１２，１３は、信号伝送媒体（ＦＰＣ又はＦＦＣ等）Ｆ１，Ｆ２の挿入・抜去の方向（図４の左右方向）であるコネクタ前後方向に沿って略平行に延在する一対の細長状ビーム部材からなる可動コンタクトビーム１２ａ，１３ａ及び固定コンタクトビーム１２ｂ，１３ｂをそれぞれ有している。これらの可動コンタクトビーム１２ａ，１３ａ及び固定コンタクトビーム１２ｂ，１３ｂは、上述した絶縁ハウジング１１の各媒体挿入通路１１ｃ，１１ｄの内部空間において図示上下方向に適宜の間隔をなして互いに対向するように配置されている。
【００３１】
そのうちの固定コンタクトビーム１２ｂ，１３ｂは、前記絶縁ハウジング１１の媒体挿入通路１１ｃ，１１ｄの底壁面に沿って略不動状態となるように固定されているが、当該固定コンタクトビーム１２ｂ，１３ｂの図示上方位置に略平行に延在する可動コンタクトビーム１２ａ，１３ａは、後端部分に配置された連結支柱ビーム１２ｃ，１３ｃを介して固定コンタクトビーム１２ｂ，１３ｂに一体的に連結されている。
【００３２】
その連結支柱ビーム１２ｃ，１３ｃは、細幅の柱状部材から形成されており、当該連結支柱ビーム１２ｃ，１３ｃの図示上端部分に連結された可動コンタクトビーム１２ａ，１３ａが、連結支柱ビーム１２ｃ，１３ｃの弾性可撓性に基づいて、上述した固定コンタクトビーム１２ｂ，１３ｂに対して弾性変位可能となるように構成されており、可動コンタクトビーム１２ａ，１３ａが、連結支柱ビーム１２ｃ，１３ｃ又はその近傍を回動中心として揺動可能となるように構成されている。そのときの可動コンタクトビーム１２ａ，１３ａの揺動は、図４及び図５の紙面内において上下の方向に行われることとなる。
【００３３】
また、上述した可動コンタクトビーム１２ａ，１３ａの前端側部分（図４及び図５の左端側部分）には、信号伝送媒体（ＦＰＣ又はＦＦＣ等）Ｆ１，Ｆ２の図示上面側に形成された配線パターン（信号伝送用又はシールド用の導電路）のいずれかに接続される上端子接触凸部１２ａ１，１３ａ１が図示下向きの突形状をなすように設けられている。
【００３４】
一方、固定コンタクトビーム１２ｂ，１３ｂは、前述したように絶縁ハウジング１１の底面板の内壁面に沿ってコネクタ前後方向に延在するように配置されているが、それらの固定コンタクトビーム１２ｂ，１３ｂにおける前方側部分（図４及び図５の左方側部分）には、信号伝送媒体（ＦＰＣ又はＦＦＣ等）Ｆ１，Ｆ２の図示下面側に形成された配線パターン（信号伝送用又はシールド用の導電路のいずれか）に接続される下端子接触凸部１２ｂ１，１３ｂ１が図示上向きの突形状をなすように設けられている。これらの下端子接触凸部１２ｂ１，１３ｂ１は、上述した可動コンタクトビーム１２ａ，１３ａ側の上端子接触凸部１２ａ１，１３ａ１の図示直下位置に対面するように配置されている。
【００３５】
これらの導電コンタクト１２，１３に設けられた上端子接触凸部１２ａ１，１３ａ１及び下端子接触凸部１２ｂ１，１３ｂ１は、上述したように信号伝送媒体Ｆ１，Ｆ２が絶縁ハウジング１１の内部に挿入されて来た際に、当該信号伝送媒体Ｆ１，Ｆ２に設けられた配線パターン上に乗り上げる配置関係になされており、その信号伝送媒体Ｆ１，Ｆ２が所定の最終位置まで挿入されたときに、固定コンタクトビーム１２ｂ，１３ｂの弾性力によって圧接されることにより、それらの上端子接触凸部１２ａ１，１３ａ１と下端子接触凸部１２ｂ１，１３ｂ１との間に信号伝送媒体Ｆ１，Ｆ２が挟持されて電気的に接続された状態に維持される構成になされている。
【００３６】
なお、これらの可動コンタクトビーム１２ａ，１３ａの上端子接触凸部１２ａ１，１３ａ１、及び固定コンタクトビーム１２ｂ，１３ｂの下端子接触凸部１２ｂ１，１３ｂ１は、コネクタ前後方向における互いの位置を、コネクタ前方側（図４及び図５の左方側）或いはコネクタ後方側（図４及び図５の右方側）にずらして配置することも可能であり、また、電気的に接続される状態になされるのは、上端子接触凸部１２ａ１，１３ａ１、あるいは下端子接触凸部１２ｂ１，１３ｂ１のいずれか一方でも良い。
【００３７】
また、上述した固定コンタクトビーム１２ｂの後端側部分（図５の右端側部分）、すなわち連結支柱ビーム１２ｃの下端部分には、主印刷配線基板（図示省略）上に形成された導電路に半田接続される基板接続部１２ｂ２が設けられている。一方、固定コンタクトビーム１３ｂの前端側部分（図４の左端側部分）、すなわち連結支柱ビーム１３ｃと反対側の下端部分には、主印刷配線基板（図示省略）上に形成された導電路に半田接続される基板接続部１３ｂ２が設けられている。
【００３８】
ここで、上述したように複数段（２段）にわたって設けられた上媒体挿入口１１ａ及び下媒体挿入口１１ｂにそれぞれ挿入される各信号伝送媒体（ＦＰＣ又はＦＦＣ等）Ｆ１，Ｆ２には、板厚状に形成された端末接続部Ｆ１ａ，Ｆ２ａがそれぞれ設けられている。それらの端末接続部Ｆ１ａ，Ｆ２ａの表面又は裏面には、信号伝送用又はシールド用の導電路（端子部）Ｆ１ｂ，Ｆ２ｂがそれぞれ外方に露出するように形成されていて、それらの導電路Ｆ１ｂ，Ｆ２ｂが、前述した可動コンタクトビーム１２ａ，１３ａの上端子接触凸部１２ａ１，１３ａ１と、固定コンタクトビーム１２ｂ，１３ｂの下端子接触凸部１２ｂ１，１３ｂ１との間に挟持されて電気的に接続される。
【００３９】
また、それらの各信号伝送媒体（ＦＰＣ又はＦＦＣ等）Ｆ１，Ｆ２の端末接続部Ｆ１ａ，Ｆ２ａには、信号伝送媒体Ｆ１，Ｆ２の挿入位置、すなわち当該信号伝送媒体Ｆ１，Ｆ２が上下の両媒体挿入口１１ａ，１１ｂからどれだけの量にわたって挿入されているかを示す上下の位置表示片Ｆ１ｃ，Ｆ２ｃがそれぞれ設けられている。それら上下の各位置表示片Ｆ１ｃ，Ｆ２ｃは、各信号伝送媒体Ｆ１，Ｆ２の横幅方向（コネクタ長手方向）における両端縁部のうちの一方側から外方側（コネクタ外方側）に向かって略矩形状をなして突出しており、それら上下の位置表示片Ｆ１ｃ，Ｆ２ｃが、互いに異なる側の端縁部に配置されていることによって、信号伝送媒体Ｆ１，Ｆ２の挿入が完了した状態での上方側からの平面視で互いに重なり合わないように位置ズレした配置になされている。
【００４０】
より具体的には、上述したように信号伝送媒体Ｆ１側に設けられた上位置表示片Ｆ１ｃと、信号伝送媒体Ｆ２側に設けられた下位置表示片Ｆ２ｃとは、互いに異なる側の端縁部に離した配置関係になされており、各信号伝送媒体Ｆ１，Ｆ２の挿入が完了した状態、すなわち媒体挿入通路１１ｃ，１１ｄの内部に挿入された信号伝送媒体Ｆ１，Ｆ２が媒体当接面１１ｅ，１１ｆに当接した状態において、上述した上下の位置表示片Ｆ１ｃ，Ｆ２ｃ同士が、互いに反対側の方向に突出する構成になされている。これによって、両信号伝送媒体Ｆ１，Ｆ２同士が上下に重なり合って挿入された状態においても上下の位置表示片Ｆ１ｃ，Ｆ２ｃの各位置が上方側から直ちに確認されるようになっている。
【００４１】
さらに、本実施形態における上下の位置表示片Ｆ１ｃ，Ｆ２ｃは、信号伝送媒体（ＦＰＣ又はＦＦＣ等）Ｆ１，Ｆ２の端末先端部からの位置が互いにずらされた配置関係になされている。より具体的には、上段側に挿入されるべき信号伝送媒体Ｆ１に設けられた上位置表示片Ｆ１ｃが、下段側に挿入されるべき信号伝送媒体Ｆ２に設けられた下位置表示片Ｆ２ｃよりも後方側にずらして設けられており、特に図６に示されているように、信号伝送媒体Ｆ１の端末先端部から上位置表示片Ｆ１ｃの前端縁までの距離Ｌ３は、信号伝送媒体Ｆ２の端末先端部から下位置表示片Ｆ２ｃの前端縁までの距離Ｌ４よりも大きくなるように設定されている（Ｌ３＞Ｌ４）。
【００４２】
また、前述したように上下の両媒体挿入口１１ａ，１１ｂを有する絶縁ハウジング１１の前端側壁面には、信号伝送媒体（ＦＰＣ又はＦＦＣ等）Ｆ１，Ｆ２の両位置表示片Ｆ１ｃ，Ｆ２ｃが接触する挿入位置基準面１１ｇ，１１ｈが形成されている。これらの挿入位置基準面１１ｇ，１１ｈは、上下の両媒体挿入口１１ａ，１１ｂの横幅方向において外方側に相当する部位に形成されており、信号伝送媒体Ｆ１，Ｆ２の挿入を完了した際に前記上下の両位置表示片Ｆ１ｃ，Ｆ２ｃの接触面を構成するものである。そして、それらの挿入位置基準面１１ｇ，１１ｈに上下の両位置表示片Ｆ１ｃ，Ｆ２ｃが接触した状態において、当該上下の両位置表示片Ｆ１ｃ，Ｆ２ｃ同士が、コネクタ長手方向（横幅方向）に並列するように構成されている。
【００４３】
さらに、上述した挿入位置基準面１１ｇ，１１ｈの下方側には、当該挿入位置基準面１１ｇ，１１ｈの下端縁から前方に向かって段差状をなすように突出する表示部支持面１１ｉ，１１ｊが設けられており、信号伝送媒体（ＦＰＣ又はＦＦＣ等）Ｆ１，Ｆ２の挿入が完了した状態において、それらの表示部支持面１１ｉ，１１ｊに対して上下の位置表示片Ｆ１ｃ，Ｆ２ｃが上方側から載置されるようになっている。
【００４４】
さらに、それらの挿入位置基準面１１ｇ，１１ｈのコネクタ長手方向の長さＷ１，Ｗ２、すなわち上述した上下の両媒体挿入口１１ａ，１１ｂにおける横幅方向（コネクタ長手方向）の端縁部から絶縁ハウジング１１の両側外端面までの各距離に対して、上述した信号伝送媒体（ＦＰＣ又はＦＦＣ等）Ｆ１，Ｆ２に設けられた上下の両位置表示片Ｆ１ｃ，Ｆ２ｃの突出長さが略同一となるように形成されており、これによって信号伝送媒体Ｆ１，Ｆ２が挿入を完了した際に、上下の位置表示片Ｆ１ｃ，Ｆ２ｃの突出側先端縁が、絶縁ハウジング１１の両側外端面と一致するように構成されている。
【００４５】
このとき、上述した挿入位置基準面１１ｇ，１１ｈの長さＷ１，Ｗ２は、互いに異ならされているとともに（Ｗ１≠Ｗ２）、それらの挿入位置基準面１１ｇ，１１ｈの長さＷ１，Ｗ２に対応して上述した各信号伝送媒体（ＦＰＣ又はＦＦＣ等）Ｆ１，Ｆ２に設けられた上下の両位置表示片Ｆ１ｃ，Ｆ２ｃの突出長さも異ならされている。より具体的には、上段側の上媒体挿入口１１ａに差し込まれる信号伝送媒体Ｆ１の上位置表示片Ｆ１ｃ、及びその上位置表示片Ｆ１ｃが接触する挿入位置基準面１１ｇの長さＷ１に対して、下段側の下媒体挿入口１１ｂに差し込まれる信号伝送媒体Ｆ２の下位置表示片Ｆ２ｃ、及びその下位置表示片Ｆ２ｃが接触する挿入位置基準面１１ｈの長さＷ２が長くなるように形成されている（Ｗ１＜Ｗ２）。従って、信号伝送媒体Ｆ１と信号伝送媒体Ｆ２とを誤って入れ違えて挿入したり、各信号伝送媒体Ｆ１，Ｆ２の表裏を反転して挿入した場合には、上下の位置表示片Ｆ１ｃ，Ｆ２ｃの突出側先端縁部が、絶縁ハウジング１１のコネクタ長手方向の外端面に一致しなくなることから、誤った挿入状態であることが視覚的に直ちに認識される構成になされている。
【００４６】
このような構成を有する本実施形態によれば、上下の両媒体挿入口１１ａ，１１ｂに対して、信号伝送媒体（ＦＰＣ又はＦＦＣ等）Ｆ１，Ｆ２が最終位置まで正常に挿入されているか、或いは上下の両媒体挿入口１１ａ，１１ｂに対応して信号伝送媒体Ｆ１，Ｆ２が入れ替わることなく適正に挿入されているか、さらには挿入された信号伝送媒体Ｆ１，Ｆ２の表裏の向きが適正になっているか否か等の判別が、各信号伝送媒体Ｆ１，Ｆ２に設けられた上下の位置表示片Ｆ１ｃ，Ｆ２ｃ同士の位置関係を外観で判断するのみによって容易に行われる。
【００４７】
例えば、上下の両媒体挿入口１１ａ，１１ｂに対して、信号伝送媒体（ＦＰＣ又はＦＦＣ等）Ｆ１，Ｆ２が最終位置まで十分に挿入されていない場合には、図１３に示されているように、各信号伝送媒体Ｆ１，Ｆ２に設けられた上下の位置表示片Ｆ１ｃ，Ｆ２ｃが、絶縁ハウジング１１の前端側挿入位置基準面１１ｇ，１１ｈから前方側に離間した状態となって両者間に隙間が形成される。従って、そのような隙間を作業者が目視で観察することにより、信号伝送媒体Ｆ１，Ｆ２が、最終位置まで正常に挿入されていないことが容易に確認される。
【００４８】
また、上下の両媒体挿入口１１ａ，１１ｂに対して、信号伝送媒体Ｆ１，Ｆ２が入れ替わって誤挿入されている場合には、上下の位置表示片Ｆ１ｃ，Ｆ２ｃが絶縁ハウジング１１の両側外端面と一致しなくなる。例えば、下媒体挿入口１１ｂに挿入されるべき信号伝送媒体Ｆ２が、誤って上段側の上媒体挿入口１１ａに誤挿入された場合には、図１４に示されているように、信号伝送媒体Ｆ２に設けられた下位置表示片Ｆ２ｃの突出側先端縁が、絶縁ハウジング１１の片側外端面からやや引き込んだ位置に配置されるとともに、信号伝送媒体Ｆ２に設けられた導電路（端子部）Ｆ２ｂの一部が外方に露出した状態となってしまい、そのような下位置表示片Ｆ２ｃの不一致状態や、露出した導電路Ｆ２ｂを作業者が目視で観察することによって、信号伝送媒体Ｆ２が誤挿入になっていることが容易に確認される。
【００４９】
同様に、上段側の上媒体挿入口１１ａに挿入されるべき信号伝送媒体Ｆ１が、誤って下段側の下媒体挿入口１１ｂに誤挿入された場合には、図１５に示される様にその信号伝送媒体Ｆ１の上位置表示片Ｆ１ｃの突出側先端縁部が、絶縁ハウジング１１の片側外端面からやや引き込んだ位置に配置されるとともに、上位置表示片Ｆ１ｃと絶縁ハウジング１１の前端側挿入位置基準面１１ｇとの間に隙間が形成されるため、そのような上位置表示片Ｆ１ｃの不一致状態や隙間を作業者が目視で観察することによって、信号伝送媒体Ｆ１が誤挿入になっていることが容易に確認される。
【００５０】
一方、上述した第１の実施形態と同一の構成部材に対して同一の符号を付した図１６にかかる第２の実施形態では、信号伝送媒体（ＦＰＣ又はＦＦＣ等）Ｆ１，Ｆ２の適正な挿入状態を表す形状からなる挿入判定部１４，１５が設けられている。これらの挿入判定部１４，１５は、前述した信号伝送媒体Ｆ１，Ｆ２に設けられた上下の両位置表示片Ｆ１ｃ，Ｆ２ｃと、それら上下の位置表示片Ｆ１ｃ，Ｆ２ｃが接触する挿入位置基準面１１ｇ，１１ｈとの接触部分に、一定の切欠き形状をなすように設けられている。
【００５１】
より具体的には、信号伝送媒体（ＦＰＣ又はＦＦＣ等）Ｆ１，Ｆ２の両位置表示片Ｆ１ｃ，Ｆ２ｃの一方の側に、円形状を二分割した半円形状をなすようにして一方側の挿入判定部１４が切り欠くように凹設されているとともに、絶縁ハウジング１１の挿入位置基準面１１ｇ，１１ｈ、すなわち両媒体挿入口１１ａ，１１ｂにおける横幅方向の端縁から絶縁ハウジング１１の一方の外方端面にも、同様な円形状を二分割した半円形状をなすようにして他方側の挿入判定部１５が切り欠くように凹設されている。そして、信号伝送媒体Ｆ１，Ｆ２の挿入が完了されて、上下の両位置表示片Ｆ１ｃ，Ｆ２ｃが、絶縁ハウジング１１の外方側端面である挿入位置基準面１１ｇ，１１ｈに接触した状態において、双方側の挿入判定部１４，１５同士が合体し、それによって特定の円形状が構成される。
【００５２】
このような第２の実施形態においても、複数段（２段）にわたって挿入された信号伝送媒体（ＦＰＣ又はＦＦＣ等）Ｆ１，Ｆ２の挿入状態が、両挿入判定部１４，１５により特定の円形状が形成されているか否かを外観で目視しつつ判断することによって、容易に判別される。さらに本実施形態においても、第１の実施形態同様に挿入不足と、上下の両媒体挿入口１１ａ，１１ｂに対して、信号伝送媒体Ｆ１，Ｆ２が入れ替わって誤挿入されているかを容易に確認することが出来る。尚、両挿入判定部１４，１５は一方の外方端面に特定の円形状としたが、両側外方端面それぞれに特定の個別形状を形成しても良い。
【００５３】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５４】
例えば、上述した各実施形態では、媒体挿入口及び媒体挿入通路を上下に２段にわたって設けているが、３段以上にわたって設ける場合に対しても、本発明は同様に適用することが可能である。
【００５５】
また、上述した各実施形態では、複数段挿入型電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００５６】
さらに、上述した実施形態にかかる複数段挿入型電気コネクタには、各媒体挿入通路に単一形状の導電コンタクトが取り付けられているが、異なる形状の導電コンタクトを交互に配置した構造であっても本発明は同様に適用することが可能である。
【産業上の利用可能性】
【００５７】
本発明は、各種電気機器に使用する多種多様な複数段挿入型電気コネクタに対して広く適用することが可能である。
【符号の説明】
【００５８】
１０  複数段挿入型電気コネクタ
１１  絶縁ハウジング
１１ａ  上媒体挿入口
１１ｂ  下媒体挿入口
１１ｃ，１１ｄ  媒体挿入通路
１１ｅ，１１ｆ  媒体当接面
１１ｇ，１１ｈ  挿入位置基準面
１１ｉ，１１ｊ  表示部支持面
１２，１３  導電コンタクト
１２ａ，１３ａ  可動コンタクトビーム
１２ａ１，１３ａ１  上端子接触凸部
１２ｂ，１３ｂ  固定コンタクトビーム
１２ｂ１，１３ｂ１  下端子接触凸部
１２ｂ２，１３ｂ２  基板接続部
１２ｃ，１３ｃ  連結支柱ビーム
Ｆ１，Ｆ２  信号伝送媒体（ＦＰＣ又はＦＦＣ等）
Ｆ１ａ，Ｆ２ａ  端末接続部
Ｆ１ｂ，Ｆ２ｂ  導電路（端子部）
Ｆ１ｃ  上位置表示片
Ｆ２ｃ  下位置表示片
１４，１５  挿入判定部
【図１】
0005747782.tif 000002
【図２】
0005747782.tif 000003
【図３】
0005747782.tif 000004
【図４】
0005747782.tif 000005
【図５】
0005747782.tif 000006
【図６】
0005747782.tif 000007
【図７】
0005747782.tif 000008
【図８】
0005747782.tif 000009
【図９】
0005747782.tif 000010
【図１０】
0005747782.tif 000011
【図１１】
0005747782.tif 000012
【図１２】
0005747782.tif 000013
【図１３】
0005747782.tif 000014
【図１４】
0005747782.tif 000015
【図１５】
0005747782.tif 000016
【図１６】
0005747782.tif 000017